(57)【要約】【課題】開閉体が開口部を閉じた状態から開口部を開放する際に生じる力によって出入口開閉部材が出入口を閉じる出入口閉状態に設定される開閉装置を提供する。【解決手段】開口部９を開閉する開閉体（シャッターカーテン３）と、開閉体収容部と、開閉体の出入口５と、開閉体の出入口を開閉する出入口開閉部材６と、開閉体の下端部が開口部側から開閉体の出入口に移動するのに伴って開閉体の出入口を閉じる状態に出入口開閉部材を設定する出入口開閉部材閉じ手段７と、を備え、出入口開閉部材閉じ手段７は、開閉体の出入口を開閉可能なように出入口開閉部材を回転可能に支持する回転支持手段７１と、開閉体の下端部が開口部側から開閉体の出入口に移動して開閉体が開口部を開放する際に、開閉体の出入口を開放した状態から閉じた状態となるように出入口開閉部材を回転させる回転力を当該出入口開閉部材に付与する回転力付与手段７４と、を備えた。【選択図】図１
2014148841.tif 000002
【特許請求の範囲】
【請求項１】
開口部を開閉する開閉体と、
上記開口部の上方に位置されて上記開閉体を巻取り可能及び巻出し可能に収容する開閉体収容部と、
上記開閉体の上記開閉体収容部から上記開口部への出口及び上記開閉体の上記開口部から上記開閉体収容部への入口を形成する開閉体の出入口と、
当該開閉体の出入口を開閉する出入口開閉部材と、
上記開閉体の下端部が上記開口部側から上記開閉体の出入口に移動するのに伴って上記開閉体の出入口を閉じる状態に上記出入口開閉部材を設定する出入口開閉部材閉じ手段と、
を備え、
上記出入口開閉部材閉じ手段は、
上記開閉体の出入口を開閉可能なように上記出入口開閉部材を回転可能に支持する回転支持手段と、
上記開閉体の下端部が上記開口部側から上記開閉体の出入口に移動して上記開閉体が上記開口部を開放する際に、上記開閉体の出入口を開放した状態から閉じた状態となるように上記出入口開閉部材を回転させる回転力を当該出入口開閉部材に付与する回転力付与手段と、
を備えたことを特徴とする開閉装置。
【請求項２】
上記回転力付与手段は、
上記開閉体の下端部の側端面よりも突出するように設けられた開閉体側力伝達手段と、
上記開閉体の下端部が開口部側から上記開閉体の出入口に移動して上記開閉体が上記開口部を開放する際に上記開閉体側力伝達手段と接触して上記出入口開閉部材を回転させる回転力を当該出入口開閉部材に付与する出入口開閉部材側力伝達手段と、
を備えたことを特徴とする請求項１に記載の開閉装置。
【発明の詳細な説明】
【技術分野】
【０００１】
本発明は、開口部を開閉する開閉体を備えた開閉装置に関する。
【背景技術】
【０００２】
開口部を開閉する開閉体としてのシャッターカーテンと、当該シャッターカーテンを巻取り可能及び巻出し可能に収容したシャッターケースと、シャッターカーテンのシャッターケースから開口部への出口及びシャッターカーテンの開口部からシャッターケースへの入口を形成するシャッターカーテンの出入口と、当該出入口を開閉する出入口開閉部材と、を備えた開閉装置が知られている（例えば特許文献１等参照）。
【先行技術文献】
【特許文献】
【０００３】
【特許文献１】特開２００５−２００９５５号公報
【発明の概要】
【発明が解決しようとする課題】
【０００４】
上述した従来技術では、シャッターカーテンが開口部に下降して出入口を閉じていた出入口開閉部材が出入口を開いた後、シャッターカーテンが上昇して開口部が全開状態となった場合、出入口は開いた状態のままであり、出入口を閉じる場合には出入口開閉部材を手動で回動させて出入口を閉じる必要がある。
即ち、出入口開閉部材が出入口を開いた出入口開状態となった後は、出入口開閉部材が出入口を閉じる出入口閉状態となるよう手動で出入口開閉部材を戻さなければならない。
本発明は、開閉体が開口部を閉じた状態から開口部を開放する際に生じる力によって出入口開閉部材が出入口を閉じる出入口閉状態に設定される開閉装置を提供する。
【課題を解決するための手段】
【０００５】
本発明に係る開閉装置は、開口部を開閉する開閉体と、開口部の上方に位置されて開閉体を巻取り可能及び巻出し可能に収容する開閉体収容部と、開閉体の開閉体収容部から開口部への出口及び開閉体の開口部から開閉体収容部への入口を形成する開閉体の出入口と、開閉体の出入口を開閉する出入口開閉部材と、開閉体の下端部が開口部側から開閉体の出入口に移動するのに伴って開閉体の出入口を閉じる状態に出入口開閉部材を設定する出入口開閉部材閉じ手段と、を備え、出入口開閉部材閉じ手段は、開閉体の出入口を開閉可能なように出入口開閉部材を回転可能に支持する回転支持手段と、開閉体の下端部が開口部側から開閉体の出入口に移動して開閉体が開口部を開放する際に、開閉体の出入口を開放した状態から閉じた状態となるように出入口開閉部材を回転させる回転力を当該出入口開閉部材に付与する回転力付与手段と、を備えたことを特徴とする。
また、回転力付与手段は、開閉体の下端部の側端面よりも突出するように設けられた開閉体側力伝達手段と、開閉体の下端部が開口部側から開閉体の出入口に移動して開閉体が開口部を開放する際に開閉体側力伝達手段と接触して出入口開閉部材を回転させる回転力を当該出入口開閉部材に付与する出入口開閉部材側力伝達手段とを備えたことを特徴とする。
【発明の効果】
【０００６】
本発明に係る開閉装置によれば、出入口開閉部材閉じ手段を備えたことにより、開閉体の下端部が開口部に位置した状態から上方に移動して開口部を開放する際に生じる力によって出入口開閉部材が開閉体の出入口を閉じるので、出入口開閉部材が開閉体の出入口を開いた出入口開状態となった後に出入口開閉部材を出入口閉状態となるように戻す必要がなくなる。即ち、開閉体が開口部を閉じた状態から開口部を開放する際に生じる力によって出入口開閉部材が開閉体の出入口を閉じる出入口閉状態に設定される開閉装置を提供できる。
また、回転力付与手段を構成する突出体と係合片とを備えたことにより、開閉体の下端部が開口部側から開閉体の出入口に移動して開閉体が開口部を開放する際の下方から上方への直線運動が出入口開閉部材を回転させるための回転運動にスムーズに変換されて、出入口開閉部材が開閉体の出入口を閉じる方向に回転するので、開閉体と出入口開閉部材とを連動させて出入口を出入口閉状態に設定できる。
【図面の簡単な説明】
【０００７】
【図１】実施形態によるシャッター装置を示す断面図。
【図２】出入口開閉部材閉じ手段による出入口閉鎖動作を示す斜視図。
【図３】出入口開閉部材閉じ手段による出入口閉鎖動作を示す側面図。
【発明を実施するための形態】
【０００８】
図１に示すように、開閉装置としてのシャッター装置１は、開閉体収容部としてのシャッターケース２と、開口部９を開閉する開閉体としてのシャッターカーテン３と、ガイドレール４と、図外の開閉機構と、シャッターカーテン３の出入口５と、出入口開閉部材６と、出入口開閉部材閉じ手段７と、を備える。
【０００９】
シャッターケース２は、シャッターカーテン３が巻取り可能及び巻出し可能に取付けられたシャフト８、シャフト８の回転中心線８ａを回転中心として当該シャフト８を回転させる図外の開閉機構等を収容して、シャッターカーテン３が巻取り可能及び巻出し可能に収容された箱体により形成され、例えば建物への出入口や建物内の部屋への出入口等を形成する開口部９の上方に位置する構造物躯体９ａにアンカーボルトのような固定具や溶接等による図外の固定手段により固定される。
【００１０】
シャッターカーテン３は、スラット１０と水切１１と吊元１２とを備える。
スラット１０は、複数のスラット部材１０ａにより形成される。スラット部材１０ａは、後述するシャフト８の回転中心線８ａに沿った方向に長い長尺部材により形成される。スラット１０は、複数のスラット部材１０ａがスラット部材１０ａの長手方向（スラット部材１０ａの長辺に沿った方向）と直交する方向に連続するように、隣り合うスラット部材１０ａ同士の長手方向の両端位置を揃えて長辺同士が係合部１０ｂによって互いに接続され、接続部分で折れ曲がり可能となった矩形板状に形成される。
水切１１がスラット１０におけるスラット部材１０ａの長手方向と直交する方向の一端に位置されるスラット部材１０ａの長辺に連結され、吊元１２がスラット１０におけるスラット部材１０ａの長手方向と直交する方向の他端に位置されるスラット部材１０ａの長辺に連結される。
水切１１は、巻取シャフト８の中心線８ａに沿った方向に長く、長手方向（水切１１の長辺に沿った方向）と直交する断面形状が例えば逆Ｔ字形状の長尺部材により形成され、下端に位置する断面逆Ｔ字の横辺に相当する部分が水平部１１ｂとなる。水切１１の長手方向の長さはスラット部材１０ａの長手方向の長さよりも短く、水切１１の長手方向の中心位置とスラット部材１０ａの長手方向の中心位置とを揃えて水切１１の逆Ｔ字の垂直部１１ａの長辺とスラット１０の一端に位置されるスラット部材１０ａの長辺とが係合部１１ｃによって互いに接続される。
吊元１２は、スラット１０の他端に位置されるスラット部材１０ａの長辺に沿って当該長辺に間欠的に設けられる連結部材であり、シャフト８に連結される。
【００１１】
ガイドレール４は、開口部９を開閉するシャッターカーテン３の側端部をガイドする部材であって、開口部９の開口幅方向（左右方向）に互いに離隔して開口部９の左右にそれぞれ立設され、開口部９の上下方向に延長するガイド溝４ａを備える。左右一対のガイドレール４；４は、図外の固定部材を介して構造物躯体９ａにそれぞれ固定されている。
シャッターカーテン３におけるスラット１０の長手方向の両端部であるシャッターカーテン３の左右の側端部が、ガイドレール４；４の相対向するガイド溝４ａ；４ａ内に入り込んで当該ガイド溝４ａ；４ａを介してシャッターカーテン３による開口部９の開閉方向である上下方向にガイドされることで、シャッターカーテン３が上下方向に移動して開口部９を開閉する。即ち、シャッター装置１のシャッターカーテン３がシャフト８に巻き取られることで開口部９が開通し、シャッターカーテン３がシャフト８から繰り出される（巻き出される）ことで開口部９が閉鎖される。
尚、シャッターカーテン３における水切１１の長手方向の長さは、開口部９の左右にそれぞれ配置されて対向する一対のガイドレール４；４間の距離よりも短い寸法に形成される。即ち、水切１１の長手方向の両端部はガイドレール４；４の相対向するガイド溝４ａ；４ａ内に入り込まず、水切１１は左右一対のガイドレール４；４間において上下方向に移動する。
【００１２】
シャッターカーテン３の出入口５は、シャッターカーテン３のシャッターケース２から開口部９への出口及びシャッターカーテン３の開口部９からシャッターケース２への入口を形成する開口であって、例えばシャッターカーテン３が天井裏５１に設けられたシャッターケース２より開口部９に出没可能なように天井５２側に形成された開口によって形成される。
出入口５を構成する開口は、例えば、互いに対向する左右一対のガイドレール４；４間の天井５２側に配置されて互いに開口部９の幅方向に長く延長する形鋼（例えば、断面Ｃ字状のＣチャンと呼ばれるリップ溝形鋼）等の長尺材により形成された天井見切り材として機能する一対のまぐさ５３；５３が、シャッターカーテン３の厚さ寸法より大きい平行な間隔を隔てて配置されたことによって、当該まぐさ５３；５３とガイドレール４；４とで囲まれた開口部９の幅方向に長いまぐさ５３；５３間の長尺な開口（スリット状の開口）により形成された構成である。例えば一方のまぐさ５３がシャッターケース２の下面に取付けられたブラケット５５に取付けられ、他方のまぐさ５３が構造物躯体９ａに取付けられたブラケット５６に取付けられる。そして、例えば天井板５４の端部を断面Ｃ字のまぐさ５３の開口側からまぐさ５３の内側に入れたり、天井板５４の端面をまぐさ５３に突き付けるようにして天井板５４を図外の天井下地に取付けることによって天井５２が構成される。
【００１３】
出入口開閉部材６は、開口部９の幅方向に長く延長して出入口５を下方から塞ぐことが可能な大きさの長尺板により形成され、当該長尺板の一方の長辺縁が後述するヒンジによって支持されることによって、当該ヒンジの回転中心を回転中心として、長尺板の板面が天井板５４と平行となるように位置される出入口閉じ状態と、長尺板の板面が天井板５４と垂直となるように位置される出入口開放状態と、に状態変化可能に構成される。
【００１４】
出入口開閉部材閉じ手段７は、回転支持手段７１と、回転力付与手段７４と、を備える。
【００１５】
回転支持手段７１は、出入口５を開閉可能なように出入口開閉部材６を回転可能に支持する例えばヒンジにより構成される。当該ヒンジは、例えば、出入口開閉部材６の一方の長辺側に設けられた回転中心軸と、当該回転中心軸を回転可能に支持する回転支持部とを備えた構成である。回転中心軸が、例えば出入口開閉部材６の一方の長辺に当該長辺に沿うように設けられ、回転支持部が、例えば一方のまぐさ５３の下面に設けられることによって、出入口５の近傍である例えば一方のまぐさ５３の下面に、出入口開閉部材６を回転可能に支持するヒンジが構成される。
尚、左右一対のガイドレール４；４に軸受孔を設け、上記回転中心軸の両端が当該軸受孔に回転可能に支持された構成の回転支持手段７１としてもよい。
【００１６】
回転力付与手段７４は、シャッターカーテン３の下端部を形成する水切１１が開口部９側から出入口５に移動してシャッターカーテン３が開口部９を開放する際に、出入口５を開放した状態から出入口５を閉じた状態となるように出入口開閉部材６を回転させる回転力を当該出入口開閉部材６に付与する手段であって、例えば、開閉体側力伝達手段としてのシャッターカーテン側力伝達手段７２と、出入口開閉部材側力伝達手段７３と、を備える。
【００１７】
シャッターカーテン側力伝達手段７２は、例えばシャッターカーテン３の下端部を形成する水切１１の長手方向両側に位置する両方の側端部側又は一方の側端部側に設けられて水切１１の側端面１１ｄよりも突出するように設けられたピン等の突出体により形成される。
【００１８】
出入口開閉部材側力伝達手段７３は、例えばシャッターカーテン３の下端部を形成する水切１１が開口部９側から出入口５に移動してシャッターカーテン３が開口部９を開放する際に上記突出体と接触して出入口開閉部材６を回転させる回転力を当該出入口開閉部材６に付与する係合片により形成される。当該係合片は、上記突出体と対応するように出入口開閉部材６の両方の短辺側又は一方の短辺側に設けられる。係合片は、出入口開閉部材６の一方の長辺側（ヒンジ側の長辺側）から出入口５に近づく方向に延長した後に出入口開閉部材６の他方の長辺側に延長するように形成される。当該係合片は、例えば出入口開閉部材６とは別体の部材が出入口開閉部材６と溶接や接着剤等で接続されて形成されたり、あるいは、出入口開閉部材６と一体に形成される。
【００１９】
上記出入口開閉部材側力伝達手段７３としての係合片は、ガイドレール４に形成された図外の係合片回転対応切欠を介してガイドレール４の内外で回転可能なように形成されたり、あるいは、ガイドレール４の内側で回転可能なように形成されたり、あるいは、シャッターカーテン３の水切１１の側端面とガイドレール４との間で回転可能なように形成される。
【００２０】
上述した突出体と係合片とによって構成された回転力付与手段７４は、シャッターカーテン３の下端部が開口部９側から出入口５に移動してシャッターカーテン３が開口部９を開放する際の下方から上方への直線運動を出入口開閉部材６を回転させるための回転運動に変換する手段として機能する。
【００２１】
次に出入口開閉部材閉じ手段７による出入口閉じ動作を説明する。
図３（ａ）に示すように、開口部９に位置したシャッターカーテン３の下端部を形成する水切１１が上方に移動して水切１１の側端面よりも突出する突出体が係合片に近づく。そして、図２（ａ）：図３（ｂ）に示すように、水切１１が上方に移動して出入口５に移動する過程で突出体が係合片と係合し、出入口開閉部材６がヒンジの回転中心を回転中心として出入口５を閉じる方向に回転し始める。図２（ｂ）：図３（ｃ）に示すように、水切１１がさらに上方に移動して出入口開閉部材６がヒンジの回転中心を回転中心としてさらに出入口５を閉じる方向に回転する。そして、図２（ｃ）：図３（ｄ）に示すように、シャッターカーテン３が開口部９を開放する状態となるまで水切１１がさらに上方に移動すると、出入口開閉部材６がヒンジの回転中心を回転中心としてさらに出入口５を閉じる方向に回転し、出入口開閉部材６の長尺板の板面が天井板５４と平行となるように位置される出入口閉じ状態に設定される（図１；図３（ｄ）参照）。これにより、開口部９側から出入口５及びシャッターカーテン３の下端が見えない状態となり、開口部９を全開状態とした際の天井側の意匠性が向上する。
【００２２】
また、シャッターカーテン３が開口部９を開放した全開状態から下降する場合に、水切１１の下端と出入口開閉部材６の長尺板の上面とが接触し、上記出入口閉じ動作とは逆の順序で出入口開閉部材６がヒンジの回転中心を回転中心として回転して、出入口開閉部材６の長尺板の板面が天井板５４と垂直となるように位置される出入口開放状態に設定される（図３（ａ）参照）。
【００２３】
実施形態の開閉装置１によれば、シャッターカーテン３の下端部が開口部９に位置した状態から上方に移動して開口部９を開放する際に生じる力によって出入口開閉部材６が出入口５を閉じる出入口閉状態に設定されるので、従来のように、出入口開閉部材６が出入口５を開いた出入口開状態となった後に出入口開閉部材６を出入口閉状態となるように戻す必要がなくなる。即ち、シャッターカーテン３による開口部９の開閉動作に連動して出入口５が開閉する開閉装置が得られる。
また、回転力付与手段７４を構成する突出体と係合片とを備えたことにより、シャッターカーテン３の下端部が開口部９側から出入口５に移動してシャッターカーテン３が開口部９を開放する際の下方から上方への直線運動が出入口開閉部材６を回転させるための回転運動にスムーズに変換されて、出入口開閉部材６が出入口５を閉じる方向に回転するので、シャッターカーテン３と出入口開閉部材６とを連動させて出入口５を出入口閉状態に設定できる。
【００２４】
本発明は、電動式シャッター装置、手動式シャッター装置のいずれにも適用できる。
【００２５】
本発明の適用対象となる開閉装置の開閉体をシャッターカーテン３とした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。所謂、オーバヘッドタイプのシャッターカーテンにも適用できる。
【００２６】
本発明は、ガイドレールを備え、このガイドレールに開閉体が案内されるようなブラインド、ロールスクリーン装置、防煙垂れ幕などの開閉装置にも適用可能である。
【符号の説明】
【００２７】
２  シャッターケース（開閉体収容部）、３  シャッターカーテン（開閉体）、
５  シャッターカーテンの出入口、６  出入口開閉部材、７  出入口開閉部材閉じ手段、７１  回転支持手段、７２  シャッターカーテン側力伝達手段（開閉体側力伝達手段）、
７３  出入口開閉部材側力伝達手段、７４  回転力付与手段。
【図１】
2014148841.tif 000003
【図２】
2014148841.tif 000004
【図３】
2014148841.tif 000005